(57)【特許請求の範囲】
【請求項１】
表表紙２と背表紙３と裏表紙４とからなるくるみ表紙１の前記表表紙２又は裏表紙４のいずれか一方内面に前記背表紙３側に背部１３を向けて冊子体１１を一体的に取り付けた製本類において、冊子体１１の背部１３外面が小口側方向に徐々に傾斜するように前記冊子体１１が取り付けられていることを特徴とする製本類。
【請求項２】
前記表表紙２又は裏表紙４のいずれか一方若しくは両方の小口側又は天地側の端縁部が、前記冊子体１１の端縁部より外側に延設されている請求項１記載の製本類。
【請求項３】
前記冊子体１１が、ｎ枚の各々二つ折り紙葉１１-1、１１-2、１１-3、・・・１１-nを互いにその各々折目を平行に小口側に徐々にずれ重ねて貼着した合紙冊子体であって、小口側に徐々に傾斜する傾斜背部１３を備える請求項１又は請求項２記載の製本類。
【発明の詳細な説明】
【０００１】
【発明の属する技術分野】
本発明は、絵本やカラオケ本など各種の出版本として製本される合紙本をはじめとした製本類に関する。
【０００２】
【従来の技術】
従来、絵本をはじめとする各種の合紙本が出版本として出版されているが、合紙本は、適宜枚数の二つ折りした厚紙紙葉を、互いにその折目を揃えて重ね合わせて貼着して合紙体を作製し、その合紙体の背部側より先頭の二つ折り紙葉と末尾の二つ折り紙葉とに亘って、別の厚紙を連続被覆して貼着することによって製本される。
【０００３】
合紙本は、このように二つ折りした厚紙を互いにその外面同士で重ね合わせ貼着して頁紙葉を作製することによって、同時に１冊の綴じられた剛性のある本として製本されるものであるが、合紙された各頁紙葉を順に捲っていった際に、その捲った頁紙葉の背部側が捲る前の頁紙葉の背部と対向するように向き合うために次の頁紙葉が持ち上がって、捲った頁紙葉と次の頁紙葉による見開き２ページ分の開頁角度が１８０°の平坦な状態に開放できない欠点があった。
【０００４】
そこで、見開きの２枚のページが全てのページに亘って１８０°の角度で平坦に開放できるような合紙本が開発されており、非常に捲りやすく見やすい合紙本として注目されている。
【０００５】
例えば、図５の側面図に示すような合紙本Ｃはその従来例であり、表表紙２と背表紙３と裏表紙４とからなるくるみ表紙１を備え、その表表紙２又は裏表紙４のいずれか一方内面には一体的に厚紙若しくは発泡スチロール等の厚い台材Ｄが取り付けられている。
【０００６】
そして，その台材Ｄの上面には、適宜枚数の二つ折りした厚紙紙葉を互いにその折目を揃えて重ね合わせて貼着した合紙体の背部側より先頭の二つ折り紙葉と末尾の二つ折り紙葉とに亘って別の厚紙を連続被覆して貼着することによって製本された、例えば５枚の合紙頁紙葉による合紙冊子体２１が一体的に取り付けられている。
【０００７】
該合紙冊子体２１には、図５に示すように背部２３側より先頭の二つ折り紙葉と末尾の二つ折り紙葉とに亘って外折れヒンジ板としての１枚の厚紙紙葉２５が先頭頁紙葉２２-1の背部側から背部２３に亘って非貼着領域ｅを形成した状態で被覆貼着されている。
【０００８】
図５に示す合紙本は、図６（ａ）に示すように先ず表表紙２を開放した後に先頭頁紙葉２２-1を捲ると、該先頭頁紙葉２２-1の厚紙２１-1に合紙されている他の１枚の厚紙紙葉２５は非貼着領域ｅによって外方に折り曲げ分離し、また次の頁紙葉２２-2は背部２３にて１枚の厚紙２１-1によって互いに連結しているだけであるために開き易くなっており、次の頁紙葉２２-2は持ち上がることなく、先頭頁紙葉２２-1は次の頁紙葉２２-2に対してほぼ１８０°の角度で平坦に円滑に開放できるようになっている。
【０００９】
また、先頭頁紙葉２２-1を捲ることによって外方に折り曲げられ分離した厚紙紙葉２５（外折れヒンジ板２６）は、台材Ｄの厚さによって表表紙２から所定の間隔を以て分離しているためにスペースが確保されて表表紙２とは接触せず先頭頁紙葉２２-1を水平状態に捲ることができる。
【００１０】
次に頁紙葉２２-2を捲ると、該頁紙葉２２-2の厚紙２１-1に合紙されている次の頁紙葉２２-3の他の１枚の厚紙は背部２３にて１枚の厚紙によって互いに連結しているだけであるために前記同様に開き易くなっており、次の頁紙葉２２-3は持ち上がることなく、頁紙葉２２-2は次の頁紙葉２２-3に対してほぼ１８０°の角度で平坦に円滑に開放でき、また、厚紙紙葉２５（外折れヒンジ板２６）は一層鋭角に外方に折り曲げられて突出するものの、台材Ｄの厚さによって表表紙２から所定の間隔を以て分離しているためにスペースが確保されて表表紙２とは接触せず頁紙葉２２-2、２２-3を互いに１８０°の水平状態に捲ることができる。
【００１１】
そして次の頁紙葉２２-3、２２-4を捲る際にも同様に次の頁紙葉に対してほぼ１８０°の角度で平坦に円滑に開放でき、また、各頁紙葉を捲る毎に外方に向かって折り曲げられ分離する厚紙紙葉２５は台材Ｄの厚さによって表表紙２から所定の間隔を以て分離しているために、図６（ｂ）に示すように最終見開きページの２ページ２２-3、２２-4を開放した際にも１８０°の平坦な状態で開放することができるようになっている。
【００１２】
【発明が解決しようとする課題】
ところで上記のような従来の合紙本においては、合紙された各頁紙葉を捲った際に、その捲った頁紙葉の次の頁紙葉が持ち上がらず見開き２ページ分の開放角度が１８０°の平坦な状態に円滑に開放できるようにするためには、ページを捲っている間の外折れヒンジ板の退避スペースが必要であって上記のような台材Ｄが必要であり、そのために従来の合紙本は、実質の合紙冊子体２１の厚さに対応する台材Ｄの厚さ分だけ余分の厚味を必要としていた。
【００１３】
本発明の課題は、上記不都合を解消することにあり、その発明の目的は合紙本をはじめとする製本類において、捲った頁紙葉の次の頁紙葉が持ち上がることなく見開き２ページ分の開放角度を１８０°の平坦な状態に円滑に開放できるようにすることにより、頁紙葉の捲り難さや、読み難さなどを解消することにある。
【００１４】
【課題を解決するための手段】
本発明は、表表紙２と背表紙３と裏表紙４とからなるくるみ表紙１の前記表表紙２又は裏表紙４のいずれか一方内面に前記背表紙３側に背部１３を向けて冊子体１１を一体的に取り付けた製本類において、冊子体１１の背部１３外面が小口側方向に徐々に傾斜するように前記冊子体１１が取り付けられていることを特徴とする製本類である。
【００１５】
また本発明は、上記発明の合紙本において、前記表表紙２又は裏表紙４のいずれか一方若しくは両方の小口側又は天地側の端縁部が、前記冊子体１１の端縁部より外側に延設されている製本類である。
【００１６】
また本発明は、上記発明の合紙本において、前記冊子体１１が、ｎ枚の各々二つ折り紙葉１１-1、１１-2、１１-3、・・・１１-nを互いにその各々折目を平行に小口側に徐々にずれ重ねて貼着した合紙冊子体であって、小口側に徐々に傾斜する傾斜背部１３を備える製本類である。
【００１７】
【発明の実施の形態】
本発明の製本類を、図１（ａ）〜（ｂ）の本発明の製本類の側断面図に示す実施の形態に従って以下に詳細に説明する。
【００１８】
本発明の製本類は、図１（ａ）に示すように、表表紙２と背表紙３と裏表紙４とからなるくるみ表紙１と、前記表表紙２又は裏表紙４のいずれか一方内面に、前記背表紙３側に背部１３を向けて、接着糊などにて一体的に取り付けられた冊子体１１を備え、前記冊子体１１の背部１３外面は、該冊子体の小口側方向に徐々に傾斜する傾斜面Ｅを備えている。
【００１９】
くるみ表紙１は厚紙により形成され、表表紙２と背表紙３と裏表紙４のそれぞれ境界部分の折目は押し罫などによって開閉可能に形成されている。
【００２０】
冊子体１１は、図１（ａ）に示すように、例えばそれが合紙冊子体である場合は、複数枚の二つ折り紙葉１１-1、１１-2、１１-3、・・・１１-n、即ち、例えは５枚の厚紙による二つ折り紙葉１１-1、１１-2、１１-3、１１-4、１１-5が、その二つ折りした折目を平行に揃えて、その外面同士を互いに重ね合わせるとともに、その重ね合わせた紙葉の上部の紙葉ほど折目の重ね合わせ位置を内側方向にずらして、重ね合わせられた折目部分の外面が傾斜面Ｅとなるように重ね合わせられ、その各々重ね合わせ内面が互いに貼着されている。
【００２１】
そして、図１（ａ）に示すように、重ね合わせた前記二つ折りの先頭紙葉１１-1の上面のみ、又は該上面と前記二つ折りの末尾紙葉１１-5（１１-n) の下面とに被覆紙葉１５が必要に応じて貼着され、その折目部分の外面からその折目側の先頭紙葉１１-1の上面及び末尾紙葉１１-5（１１-n) の下面にかけて、布製テープ、プラスチック製テープ（ステープラー）などによる背部シート１４が必要に応じて被覆されて背部１３が形成され、図１（ｂ）に示すように合紙頁紙葉１２-1、１２-2、１２-3、・・・１２-n、即ち、６枚の合紙頁紙葉１２-1、１２-2、１２-3、１２-4、１２-5、１２-6により構成される合紙冊子体１１として形成されている。
【００２２】
なお、本発明においては、冊子体１１は、上記のような合紙頁紙葉により構成された合紙冊子体でなくてもよい。
【００２３】
例えば、冊子体１１はｎ枚の各単一紙葉を用いて、ｎ頁の頁紙葉１２-1、１２-2、１２-3、・・・１２-nによって構成されていてもよく、その場合は、布製テープ、プラスチック製テープ（ステープラー）などによる前記背部シート１４によって、又は中綴じ方式や平綴じ方式以外の糸かがり方式、無線綴じ方式、ホットメルト方式などの綴じ方式によって綴じることにより、背部１３を形成することができる。
【００２４】
本発明の製本類は、図２（ａ）〜（ｄ）に示すように、くるみ表紙１の裏表紙４の内面に接着糊など適宜手段により一体的に冊子体１１を取り付けたものであり、表表紙２を開放した後に冊子体１１の各頁紙葉１２-1・・・１２-nを捲る毎に、捲られた頁紙葉の背部１３と捲る前の頁紙葉の背部とは互いに対向して向き合い接触するものの、背部１３の外面は全体に上向きの傾斜面Ｅを備えているので、捲られた頁紙葉の背部１３が外方に鋭角方向に折れ曲がっても、捲る前の頁紙葉の背部１３と対向接触して外方に平坦に捲られた頁紙葉の折目部分は、捲られていない頁紙葉の傾斜する背部１３に沿って過不足なくスムーズに接触しながら捲る前の頁紙葉の傾斜面Ｅを下降する。
【００２５】
このように、本発明の製本類の背部１３に設けられた上向きの傾斜面Ｅは、捲られた頁紙葉の背部１３と捲る前の頁紙葉の背部との対向接触により生じる窮屈な状態を回避させる作用がある。
【００２６】
本発明の製本類は図２（ｂ）に示すように、まず表表紙２を開放した後に、先頭頁紙葉１２-1を捲ると、該先頭頁紙葉１２-1の折目部分の背部１３は外方に折り曲げられて、先頭頁紙葉１２-1の折目部分の背部１３は、捲る前の次の頁紙葉１２-2の折目部分にある背部１３の傾斜面Ｅ上部と向き合い対向する姿勢で接触するものの、過不足なく窮屈でない無理のない状態で対向接触するため、先頭頁紙葉１２-1を捲った際には頁紙葉１２-2が持ち上がることがなく円滑に開放されて、先頭頁紙葉１２-1と次頁紙葉１２-2とを、ほぼ１８０°の角度で平坦な水平状態に捲ることができる。
【００２７】
また、図２（ｃ）に示すように、順次、頁紙葉頁紙葉１２-2、１２-3を捲っていった際に、上記同様に頁紙葉１２-2、１２-3の折目部分の背部１３は外方に折り曲げられて、頁紙葉１２-2、１２-3の折目部分の背部１３は、捲る前の次の頁紙葉１２-4、１２-5、１２-6の折目部分にある背部１３の傾斜面Ｅと向き合い対向する姿勢で接触するものの、過不足なく窮屈でない無理のない状態で対向接触するため、先頭頁紙葉１２-2、１２-3を順次捲った際には次の頁紙葉１２-3、１２-4が持ち上がることがなく円滑に開放されて、頁紙葉１２-2と次頁紙葉１２-3及び頁紙葉１２-3と次頁紙葉１２-4とを、ほぼ１８０°の角度で平坦な水平状態に捲ることができる。
【００２８】
そして、次の頁紙葉１２-4、１２-5を順次捲る際には、頁紙葉１２-4、１２-5の折目部分の背部１３が外方に折り曲げられる。
【００２９】
そして、その際には、既に捲られている頁紙葉１２-1、１２-2、１２-3の折目部分の背部１３は、図２（ｄ）に示すように反転下向き姿勢の傾斜面Ｅとなって傾斜する背表紙３の内面と向き合い対向する姿勢で接触するものの、該背表紙３の内面に沿って過不足なく窮屈でない無理のない状態で対向接触しながらスムーズに滑るように降下するため、前記頁紙葉１２-4、１２-5を順次捲った際には、次の頁紙葉１２-5、１２-6（裏表紙４内面に接触している）が持ち上がることがなく円滑に開放されて、頁紙葉１２-4と次頁紙葉１２-5及び頁紙葉１２-5と次頁紙葉１２-6とを、ほぼ１８０°の角度で平坦な水平状態に捲ることができる。
【００３０】
上記製本類のくるみ表紙１、平行四辺形筒体２１、冊子体１１に使用するフィルムやシート材料としては、厚紙、ダンボールシート、プラスチックシート（合成紙を含む）などが使用でき、また、厚さは特に限定されないが、例えば、紙葉１１-1、１１-2、１１-3、・・・１１-n、被覆紙葉１５としては、１００〜１５０μｍのシート材料が使用でき、合紙頁紙葉１２-1、１２-2、１２-3、・・・１２-n、１２-(n+1)は、例えば、その２倍の厚さ２００〜３００μｍとなる。
【００３１】
図３（ａ）〜（ｂ）は、上記図１（ａ）〜（ｂ）、図２（ａ）〜（ｄ）に示す本発明の製本類の一実施例を示す全体斜視図であり、（ａ）はくるみ表紙１を閉じた状態、（ｂ）はくるみ表紙１の表表紙２を開いた状態を示す。
【００３２】
また、他の実施例としては、図３（ａ）〜（ｂ）に示すように、くるみ表紙１の表表紙２と裏表紙４とを冊子体１１のそれぞれ小口側端部より小口側に、幅５のように長く延設して表裏表紙２、４に延設部２ａ、４ａを設けるようにしてもよい。
【００３３】
そして、延設部２ａ、４ａにより挟まれた空間内には、キーボード（鍵盤）、絵の具セット、小冊子類など、合紙本の内容に付帯する適宜な道具や用品類Ｂをその延設部２ａ、４ａのいずれかに一体的に取り付けることができる。
【００３４】
図４（ａ）〜（ｂ）は、本発明の製本類のその他の実施例であり、図４（ａ）に示すように、くるみ表紙１の表表紙２と裏表紙４とを冊子体１１のそれぞれ天側若しくは地側の端部より天側若しくは地側に、幅５のように長く延設して表裏表紙２、４に延設部２ａ、４ａを設けたものであり、この延設部２ａ、４ａにより挟まれた空間内には、キーボード（鍵盤）、絵の具セット、小冊子類など、合紙本の内容に付帯する適宜な道具や用品類Ｂをその延設部２ａ、４ａのいずれかに一体的に取り付けることができる。
【００３５】
【発明の効果】
本発明の製本類は、各頁紙葉を捲った際に、その捲った頁紙葉の次の頁紙葉が持ち上がらず、見開き２ページ分の開放角度が１８０°の平坦な状態に円滑に開放でき、また、捲った頁紙葉の背部が、捲る前の頁紙葉の背部に対して向き合う姿勢で接触するものの、両背部はそれぞれ互いに下向きと上向きの同一角度の傾斜面にて接触し、また、捲った後の頁紙葉の背部は背表紙の内面に沿うように収まり、順次捲られる頁紙葉の背部は、過不足なく窮屈でない無理のない状態で、捲る前の頁紙葉の背部そして背表紙の内面に対して、順に対向接触しながらスムーズに滑るように降下するため、捲った頁紙葉の次の頁紙葉が持ち上がることがなく、ほぼ１８０°の見開きページ角度で平坦に各頁を捲ることができる効果がある。
【００３６】
このように本発明の製本類は、合紙本をはじめとする製本類において、捲った頁紙葉の次の頁紙葉が持ち上がることなく、見開き２ページ分の開放角度を１８０°の平坦な状態に円滑に開放できるため、頁紙葉の捲り難さや読み難さなどを解消できる効果がある。
【図面の簡単な説明】
【図１】（ａ）〜（ｂ）は本発明の製本類の実施の形態を説明する側断面図。
【図２】（ａ）〜（ｄ）は本発明の製本類の捲り状態を説明する側断面図。
【図３】（ａ）〜（ｂ）は本発明の製本類における他の実施例を説明する全体斜視図。
【図４】（ａ）〜（ｂ）は本発明の製本類におけるその他の実施例を説明する全体斜視図。
【図５】従来の製本類の形態を説明する側断面図。
【図６】（ａ）〜（ｂ）は従来の合紙本の捲り状態を説明する側断面図。
【符号の説明】
Ａ…本発明の合紙本  Ｂ…キーボード（鍵盤）  Ｃ…従来の合紙本  Ｄ…台材
１…くるみ表紙  ２…表表紙  ２ａ…延設部  ３…背表紙  ４…裏表紙
４ａ…延設部  ５…延設幅
１１…冊子体  １１-1、〜１１-n…二つ折り紙葉  １２-1〜１２-n…頁紙葉
１３…背部  １４…背部シート  １５…被覆紙葉
【図１】
0003858400.tif 000002
【図２】
0003858400.tif 000003
【図３】
0003858400.tif 000004
【図４】
0003858400.tif 000005
【図５】
0003858400.tif 000006
【図６】
0003858400.tif 000007